(57)【特許請求の範囲】
【請求項１】
一方の端から他端に向けて熱を輸送する熱接続構造体であって、
短冊状のグラファイトシートの上下面と側面を被覆材で覆った被覆材付きグラファイトシートを複数枚積層した構造を備え、
前記被覆材付きグラファイトシートは、短冊状の長手方向の両端部に貫通穴を有し、
前記貫通穴の位置が合うように積層された前記被覆材付きグラファイトシートの前記貫通穴は、熱伝導接着剤が充填され、
積層された前記被覆材付きグラファイトシートの各々は、前記熱伝導接着剤により互いに接着固定されることを特徴とする熱接続構造体。
【請求項２】
前記熱伝導接着剤が充填された前記貫通穴の上下いずれか一方の面は、熱を発する吸排熱対象物と接着剤で固定されることを特徴とする請求項１記載の熱接続構造体。
【請求項３】
熱を発する吸排熱対象物と、
熱を排熱する排熱部と、
前記吸排熱対象物と前記排熱部を熱的に接続する請求項１又は２記載の熱接続構造体と、
からなる排熱構造であって、
前記熱伝導接着剤が充填された両端部の前記貫通穴のうち、
一方の貫通穴の上下いずれか一方の面は、前記吸排熱対象物と接着剤で固定され、
他方の貫通穴の上下いずれか一方の面は、前記排熱部と接着剤で固定される、
ことを特徴とする排熱構造。
【発明の詳細な説明】
【技術分野】
【０００１】
本発明は、吸熱部で吸熱した熱を高い熱伝導率で輸送して排熱部で外部に放熱する熱接続構造体に関するものである。特に、吸熱部から排熱部までの熱輸送部を３次元的に自在に配置でき、且つ、吸熱部と排熱部の間で力の伝達を抑制できる柔軟性を有した熱接続構造体に関するものである。
【背景技術】
【０００２】
従来、発熱源から熱を効率よく吸収して外部に排熱し、且つ熱輸送部を３次元的に自在に配置できる熱接続構造体として、グラファイトシートを複数重ね合わせた構造体が知られている（例えば、特許文献１参照）。
特許文献１には、グラファイトシートを重ね、外側を高分子化合物の可とう性シートで被覆し、その両端をそれぞれ吸熱部、排熱部とねじ締結とする熱接続構造体が開示されている。グラファイトシートを積層構造とし、外側を高分子化合物の可とう性シートで被覆することにより、強度を高めるとともに柔軟性のある熱接続構造体とすることができる。
【先行技術文献】
【特許文献】
【０００３】
【特許文献１】特許第４０８５３４２号公報
【発明の概要】
【発明が解決しようとする課題】
【０００４】
ここで、従来の熱接続構造体（特許文献１）では、熱接続構造体の両端と、吸熱部、排熱部の各々をねじ締結で加圧することによって、グラファイトシート相互間、グラファイトシートと高分子化合物シート間、高分子化合物と熱伝導体間での密着性を良くし、接触熱抵抗を低減させ熱伝導効率を高めることとしている。
そのため、上記の部材間、すなわち、グラファイトシート相互間、グラファイトシートと高分子化合物シート間、高分子化合物と熱伝導体間の接触熱抵抗が大きいと、グラファイトシートのように熱伝導率の高い材料を用いても、熱伝導率は低下する。
そこで、接触面の熱抵抗を適切に管理することが重要となるが、従来の熱接続構造体は剛性が低いため、他の材料に熱を効率的に伝えるために必要な接触圧を得るのが難しく、必要な接触圧を得るために締め付けを行うとグラファイトシートが面内方向にずれて接触面に垂直な方向への必要な接触圧を得ることができない。このように熱接続構造体としてグラファイトシートを用いる場合には、取付け部のトルク管理が難しいという課題があった。
【０００５】
また、従来の熱接続構造体は、グラファイトシートを積層した後、可とう性シートで被覆されているため、取付け状態におけるグラファイトシート短手方向の振動や熱応力に対してはグラファイトシート積層体として荷重を受けるため、構造体としてみたときの柔軟性は、グラファイトシート単体に対して劣る、という課題があった。
グラファイトシート単体と同程度の柔軟性を確保するために、グラファイトシート単体を可とう性シートで被覆した後に積層し熱接続構造体とした場合、可とう性被覆シート間の接触部が従来の構造に比べ増加することにより、熱伝導率は低下するという課題があった。
【０００６】
本発明は上記のような問題を解決するためになされたものであり、吸熱部及び排熱部を柔軟に配置し、振動、熱応力を吸収でき、さらに高い熱伝導率を実現可能な熱接続構造体を提供することを目的とする。
【課題を解決するための手段】
【０００７】
この発明に係る熱接続構造体は、一方の端から他端に向けて熱を輸送する熱接続構造体であって、短冊状のグラファイトシートの上下面と側面を被覆材で覆った被覆材付きグラファイトシートを複数枚積層した構造を備え、前記被覆材付きグラファイトシートは、短冊状の長手方向の両端部に貫通穴を有し、前記貫通穴の位置が合うように積層された前記被覆材付きグラファイトシートの前記貫通穴は、熱伝導接着剤が充填され、積層された前記被覆材付きグラファイトシートの各々は、前記熱伝導接着剤により互いに接着固定される。
【発明の効果】
【０００８】
本発明の熱接続構造体によれば、吸熱部及び排熱部を３次元的に且つ柔軟に接続し、かつ、高い熱伝導率を実現した熱接続構造体を提供することが可能となる。
【図面の簡単な説明】
【０００９】
【図１】この発明の実施の形態１に係る熱接続構造体１００の使用状態を示した図であり、端部を各々吸熱部と排熱部に固定した状態を示す図である。
【図２】この発明の実施の形態１に係る熱接続構造体１００の構造を説明する図である。
【図３】この発明の実施の形態１に係る被覆グラファイトシート５０の製造方法を説明する図である。
【図４】この発明の実施の形態１に係る被覆グラファイトシート５０を積層した状態を説明する図である。
【図５】この発明の実施の形態１に係る熱接続構造体１００を固定した状態の上面図である。
【図６】この発明の実施の形態１に係る熱接続構造体１００の排熱部８付近における断面図である。
【図７】この発明の実施の形態１に係る熱接続構造体１００が熱応力を吸収する状態を説明する図の一例である。
【図８】この発明の実施の形態１に係る熱接続構造体１００の製造フローとワーク３への固定フローを説明する図である
【図９】この発明の実施の形態２に係る熱接続構造体１０１の使用状態を示した図である。
【図１０】この発明の実施の形態３に係る熱接続構造体１０２の使用状態を示した断面図である。
【図１１】この発明の実施の形態３に係る熱接続構造体１０３の使用状態を示した断面図である。
【図１２】この発明の実施の形態３に係る熱接続構造体１０３の使用状態を示した図の一例である。
【図１３】この発明の実施の形態３に係る熱接続構造体１０３の使用状態を示した図の一例である。
【発明を実施するための形態】
【００１０】
実施の形態１．
以下、図を参照して本発明の実施の形態１に係る熱接続構造体について説明する。
【００１１】
図１は、実施の形態１に係る熱接続構造体１００の使用状態を示した図である。熱接続構造体１００の長手方向の両端はそれぞれ排熱部８、吸熱部９に設置され、熱接続構造体１００と排熱部８や吸熱部９とは、熱伝導接着剤７により固定される。熱接続構造体１００の両端に開けられた貫通穴６には熱伝導接着剤２が注入され、熱伝導接着剤２と排熱部８や吸熱部９とは、熱伝導接着剤７を介して熱的に接続されている。
吸熱部９は電子機器等の熱を発する吸排熱対象物３と熱的につながっており、本実施の形態に係る熱接続構造体１００は、吸排熱対象物３が発する熱を吸熱部９で吸収する。同様に、排熱部８は外部環境と熱的につながっており、本実施の形態に係る熱接続構造体１００は、吸熱部９側から輸送した熱を排熱部８に対して排熱する。
【００１２】
吸排熱対象物３は例えば人工衛星に搭載される観測機器であり、排熱部８は人工衛星の外部環境と熱的につながっている。熱接続構造体１００は、人工衛星内の電子機器等で発生した熱を吸熱、輸送して、人工衛星の外部に効率的に排熱する機能を有する。
【００１３】
図２は、熱接続構造体１００の構造の詳細を説明する図である。
図２のように熱接続構造体１００は、短冊状に切り取った厚さ数十ミクロンの単層のグラファイトシート１の上下面と側面を被覆材４で覆って作製した被覆材付グラファイトシート５０を複数（Ｎ層）積層した構造を有する。ここで、グラファイトシート１は、高い熱伝導特性を有する金属薄板の一例である。
グラファイトシートは面内方向における熱伝導率が高く、かつ、面内方向と直交する厚さ方向における熱伝導率は低いという異方性を有する。例えば面内方向の熱伝導率は300〜1,500Ｗ程度/ｍＫ、厚さ方向の熱伝導率は数10Ｗ程/ｍＫである。
グラファイトシート以外で高い熱伝導率を有する金属薄片の例としては、アルミニウム片（熱伝導率：250Ｗ程/ｍＫ）、銅板（熱伝導率：400Ｗ程/ｍＫ）などが挙げられる。しかしながら、アルミニウム片の密度が2.7ｇ/ｃｍ3、銅板の密度が8.9ｇ/ｃｍ3と大きいため十分な熱伝導を得ようとすると熱接続構造体の重量が重くなるという課題が生じる。
以後、本実施の形態では、高い熱伝導率を有しかつ軽量化が可能なグラファイトシート（グラファイトシートの密度：1.0ｇ/ｃｍ3）を例に説明する。
【００１４】
次に、熱接続構造体１００の詳細について説明する。
図８は、熱接続構造体１００の製造工程と、熱接続構造体１００を排熱部８と吸熱部９に固定する工程を説明するフロー図である。以下、図８のフロー図を参照しながら、熱接続構造体１００の製造方法と、排熱部８と吸熱部９への固定方法を説明する。
【００１５】
先述の通り、グラファイトシート１は熱の拡散に優れ軽量である一方、構造自体が崩れやすいという機械的性質を有する。そこで本実施の形態では、単層のグラファイトシート１を被覆材４で覆うことで強度を高めるとともに柔軟性を持たせることとした（図８のＳ０１工程）。
被覆材４は例えばポリエーテル系のテープである。以下、上下面と側面を被覆材４で覆われたグラファイトシート１を、被覆グラファイトシート５０という。
【００１６】
次に、作製した被覆グラファイトシート５０の長手方向の両端部に、貫通穴６ａ、６ｂをあける（Ｓ０２工程）。それぞれ同じ位置に貫通穴６ａ、６ｂをあけた複数（Ｎ）の被覆グラファイトシート５０を用意する。
用意した複数の被覆グラファイトシート５０を、各々の貫通穴６ａ、６ｂの位置が合うように積層する（Ｓ０３工程）。
次に、被覆グラファイトシート５０を積層した状態で、貫通穴６ａ、６ｂに熱伝導接着剤２を注入し硬化させる。
このようにして、貫通穴６ａ、６ｂ内の熱伝導接着剤２により、被覆グラファイトシート５０同士を固定して熱接続構造体１００を作製する（Ｓ０４工程）。
熱伝導接着剤２は熱伝導性がよくかつ柔軟性を有する接着剤が望ましい。例えばシリコン系の接着剤である。また、貫通穴6a、6bは熱伝導性能を向上させるためにそれぞれ複数あけてもよい。
【００１７】
次に、熱接続構造体１００の両端をそれぞれ、吸排熱対象３と熱的につながる排熱部８、吸熱部９に熱伝導接着剤７により接着する。
このとき、熱接続構造体１００の端部にある貫通穴６aに充填した熱伝導接着剤２と吸熱部９とが低熱抵抗で接続されるように熱伝導接着剤７により接着し固定する。同様に、熱接続構造体１００の端部の貫通穴６ｂに充填した熱伝導接着剤２と排熱部８とが低熱抵抗で熱的に接続されるように、熱伝導接着剤７により接着し固定する（Ｓ０５工程）。
【００１８】
このように、本実施の形態の熱接続構造体１００によれば、単層のグラファイトシート１を可とう性シートの被覆材４により被覆し保護することにより、グラファイトシート１の強度を高めることができる。
更に、グラファイトシート１を被覆材４で保護した被覆グラファイトシート５０を積層することにより、長手方向の熱輸送方向へ高い熱伝導率を確保できる。
また、両端に設けた穴６ａ、６ｂに熱伝導接着剤７を注入して積層したグラファイトシート１の間を熱的に接続したので、熱輸送方向の熱伝導性を確保できる。
また、従来の熱接続構造体では、グラファイトシートを積層した後に可とう性シートで被覆されているため、排熱部８と吸熱部９に取り付けた状態におけるグラファイトシート短手方向の振動や熱応力に対しては、グラファイトシート積層体として荷重を受けるため、構造体としてみたときの柔軟性は、グラファイトシート単体に比較し劣っていたが、単体のグラファイトシート１を被覆した被覆グラファイトシートを積層する構造としたために、柔軟性においても、グラファイトシート単体と同程度の柔軟性を維持することができる。
【００１９】
次に、図８のＳ０１〜Ｓ０５の各工程について、図を参照しながら詳述する。
図３は、被覆グラファイトシート５０の製造方法を説明する図である（Ｓ０１工程）。
まず、平面状のグラファイトシートから、所望の短冊状のグラファイトシート１を複数枚切り出す。
次に、この短冊状のグラファイトシート１よりも、短辺方向がわずかに長い被覆材４を２枚用意し、グラファイトシート１の上下両方から、グラファイトシート１を間に挟むようにして被覆する。
このようにしてグラファイトシート１は、その上面側、下面側および長手方向の両側面が全て被覆材４により被覆されて、被覆グラファイトシート５０が作製される。
【００２０】
次に、被覆グラファイトシート５０の両端の２か所に、プレス加工やレーザ加工により貫通穴６ａ、６ｂをあける（Ｓ０２工程）。
この際、穴あけ後の貫通穴６ａ、６ｂの内側壁面にはグラファイトシート１の切断面が見えており、また、グラファイトシート１の上下には被覆材４が層状に表れている。
【００２１】
図４は、被覆グラファイトシート５０を積層した熱接続構造体１００の構造を示した図である。穴６ａ、６ｂがあけられた被覆グラファイトシート５０を、穴６ａ、６ｂの位置が合うように複数枚（Ｎ）積層する（Ｓ０３工程）。
図４では被覆グラファイトシート５０が５層（Ｎ＝５）積層される。
この状態で、熱伝導接着剤２を穴６ａ、６ｂに注入し、充填硬化させる（Ｓ０４工程）。
熱伝導接着剤２としては、先述の通り、熱伝導性の優れたもの、流動性があるものがよく、例えばシリコン系の接着剤を使用する。
このようにして、被覆グラファイトシート５０を５層積層し（５０ａ、５０ｂ、５０ｃ、５０ｄ、５０ｅ）、各貫通穴６ａ、６ｂ内に注入、充填した熱伝導接着剤２により各層が互いに接着固定された熱接続構造体１００が作製される。
【００２２】
このように作製した熱接続構造体１００においては、被覆グラファイトシート５０の貫通穴６ａに充填した熱伝導接着剤２の最下面であるＡ面（図４）と、貫通穴６ｂに充填した熱伝導接着剤２の最下面であるＢ面（図４）とは、貫通穴６ａ、６ｂ内の熱伝導接着剤２と、５層に積層された単層のグラファイトシート１ａ、１ｂ、１ｃ、１ｄ、１ｅによって熱の輸送経路が形成されることになる。
【００２３】
このように熱接続構造体１００のＡ面からＢ面へは、５層のグラファイトシート１による熱輸送経路が確保されるため、１層のグラファイトシート１のときと比較し、吸熱部９で吸熱した熱を低熱抵抗で効率的に排熱部８に輸送することが可能である。
【００２４】
図５は熱接続構造体１００の端部を、吸排熱対象物３に接続する吸熱部９と、衛星外部と熱的につながる排熱部８にそれぞれ固定した状態を上面からみた上面図である。また、図６は図５の排熱部８付近の側面図である。なお、吸熱部９付近の側面図は図６と同様の図であるため、ここでは省略する。
図５、図６に示すように、熱接続構造体１００と吸熱部９を熱伝導接着剤７により接着固定する（図８のＳ０５工程）。同様に、熱接続構造体１００と排熱部８とを熱伝導接着剤７により接着固定する。
熱伝導接着剤７は、熱接続構造体１００にあけた貫通穴６ａ、６ｂに充填され被覆グラファイトシート５０同士を固定した熱伝導接着剤２と同じ接着剤であってもよい。
なお、熱伝導接着剤７を用いた接着固定の際は、熱接続構造体１００の穴６ｂに充填された接着剤２と排熱部８とが熱伝導接着剤７を介して熱的に接着するように貫通穴６ｂの下面位置に熱伝導接着剤７を塗布する。同じく、穴６ａに充填された熱伝導接着剤２と吸熱部９とが熱伝導接着剤７を介して熱的に接着するように貫通穴６ａの下面位置に熱伝送接着剤を塗布する。
【００２５】
本実施の形態に係る熱接続構造体１００によれば、吸熱部９に蓄積された熱は、熱伝導接着剤７を介して貫通穴６ａ内に注入、充填された熱伝導接着剤２に伝達される。熱伝導接着剤２に伝達された熱は、熱接続構造体１００を構成する被覆グラファイトシート５０の各々の単層のグラファイトシート１に伝達される。
ここで、熱伝導接着剤２を注入する前の貫通穴６の内側端面には単層グラファイトシート１の端面が現れており、貫通穴６に注入された熱伝導接着剤２は単層グラファイトシート１の端面に直に接する。このため、熱伝導接着剤２に伝達された熱は低熱抵抗で各々のグラファイトシート１を伝達可能である。
各グラファイトシート１に伝達された熱は、グラファイトシート１の長手方向に輸送される。
各グラファイトシート１の長手方向に輸送された熱は、排熱部８側の貫通穴６ｂ内の熱伝導接着剤２に伝達される。
ここで貫通穴６ａと同様に、貫通穴６ｂに充填された熱伝導接着剤２と各単層グラファイトシート１とは熱的に接続されており、各単層グラファイトシート１で輸送された熱は、貫通穴６ｂ内の熱伝導接着剤２と、熱伝導接着剤７を経由して排熱部８に伝達される。
排熱部８に伝達された熱は、最終的に、衛星外部に排熱される。
【００２６】
以上の通り説明した実施の形態１においては、初期状態で、吸熱部９と排熱部８の上面高さがほぼ一致している例について説明したが、衛星が晒される温度環境により与えらえる熱応力や振動により、吸熱部９と排熱部８の位置関係に歪みが生じる。
図７は、吸熱部９と排熱部８に対して各々働く応力によって、吸熱部９と排熱部８の上面高さに差が生じ、かつ、紙面垂直方向の軸を中心に回転方向に回転した場合の熱接続構造体１００の形状を示した一例である。
【００２７】
図７のように、吸熱部９と排熱部８の位置関係が初期状態から変化した場合でも、本実施の形態に係る熱接続構造体１００が備える柔軟性によって、積層した被覆グラファイトシートの例えば最上層の被覆グラファイトシート５０ａは平坦な形状から上向きに凸の形状に形を変えることで、また、最下層の被覆グラファイトシート５０ｅは平坦な形状からわずかに下向きに凸の形状に形を変えることで、熱応力の影響を吸収できる。
従来のグラファイトシートを積層した後に層全体を可とう性シートで被覆した熱接続構造体では、本実施の形態に係る熱接続構造体１００のように積層した各グラファイトシート５０がそれぞれ形状を変えることができないため、柔軟性で劣って、接着固定部などの強度信頼性が劣化するという課題の解決が可能である。
【００２８】
このように本実施の形態に係る熱接続構造体１００は、吸熱部９から排熱部８までの熱輸送経路において、被覆材４の熱伝導率や、グラファイトシート１と被覆材４間及び被覆材４と被覆材４間の接触熱抵抗の影響をなくすことができるため、従来構造と比較し高い熱伝導率を確保できる。
また従来技術で難点であった厳密なトルク管理が必要なく、安定して高い熱伝導率をもつ熱接続構造体を形成できる。
また、被覆グラファイトシート５０を複数積層し、被覆グラファイトシート５０間を両端の貫通穴に充填した熱伝導接着剤２で固定した構造であるので、従来のグラファイトシート１を積層した後に可とう性シートで被覆した場合と比較し、構造体として柔軟性を維持できる。例えば、吸熱部９と排熱部８の位置関係が熱応力により動いた場合であっても、各々の被覆グラファイトシート５０の形状が変形することにより熱接続構造体として柔軟性を維持できる。
また、被覆グラファイトシート５０を積層しているので、従来のグラファイトシート１を積層した後に可とう性シートで被覆した場合と比較しても、熱伝導率が低下することがない。
また、本実施の形態に係る熱接続構造体１００によれば、ねじを使用せず、複数の被覆グラファイトシート５０を熱伝導接着剤で固定しているので、取付け部のトルク管理を行う必要がない。
【００２９】
実施の形態２．
実施の形態１では、積層した被覆グラファイトシート５０を、両端に設けた貫通穴６に充填した熱伝導接着剤２により固定したが、熱伝導接着剤２のみの場合、接着強度が十分でなく、積層した被覆グラファイトシート５０が熱伝導接着剤２から剥がれてしまうことが考えられる。また、熱伝導接着剤で接着している熱接続構造体１００と吸熱部９の接着部や、熱接続構造体１００と排熱部８との接着部が剥がれることが考えられる。実施の形態２では、従来の熱伝導接着剤２や熱伝導接着剤７による固定のほか、ねじを用いてこれらの固定を行うことで、簡易に、固定の信頼性を向上させる。
【００３０】
図９は、本発明の実施の形態２に係る熱接続構造体１０１を排熱部８、吸熱部９に設置した状態を上面から見た図である。
図９において、熱接続構造体１０１は実施の形態１で説明した熱接続構造体１００に、更に４個のねじ１０を用いて熱接続構造体１００の端部をねじ締結している。このようにねじ締結することで、本実施の形態に係る熱接続構造体１０１は、貫通穴６に充填した熱伝導接着剤２により固定した単層のグラファイトシート同士の結合強度を向上させることができる。
【００３１】
ねじ締結した熱接続構造体１０１を、実施の形態１のときと同様に、熱伝導接着剤７を用いて排熱部８や吸熱部９と固定する。
これにより、実施の形態１で説明した効果のほか、熱伝導接着剤２のみでの固定と比較して積層した単層のグラファイトシートの強度信頼性が向上する。また、本実施の形態の熱接続構造体１０１と排熱部８や吸熱部９との固定の強度信頼性が向上する。
【００３２】
実施の形態２の他の実施例として、実施の形態１で説明したように熱接続構造体１００の端部を排熱部８や吸熱部９に接着固定した状態で、更にねじ１０を用いて、熱接続構造体１００の上方から排熱部８や吸熱部９まで差し込んで、熱接続構造体１００と排熱部８、熱接続構造体１００と吸熱部９をネジ締結するようにしてもよい。
【００３３】
本実施の形態では、ねじ１０による締結部を設けることにより、熱伝導接着剤２や熱伝導接着剤７のみでの固定と比較し、取付け部の強度信頼性が向上する。
貫通穴６に充填した熱伝導接着剤２と複数積層したグラファイトシート１により既に熱伝導経路が確保されているため、従来の課題で述べたような接触抵抗を低減させるための厳密なトルク管理は不要となる。
【００３４】
実施の形態３．
実施の形態２では、両端をねじ１０で締結した熱接続構造体１０１を排熱部８や吸熱部９に熱伝導接着剤７で固定する形態、実施の形態１の熱接続構造体１００を熱部８や吸熱部９に熱伝導接着剤７で固定するとともにねじ１０を用いてねじ締結する形態について説明した。実施の形態３では、積層した被覆グラファイトシートの上下を金属板で挟んでねじで締結する形態について説明する。
【００３５】
図１０は、実施の形態３に係る熱接続構造体１０２を排熱部８に固定したときの断面図である。なお、吸熱部９への固定は排熱部８と同じであるため説明を省略する。
図１０において、複数枚積層した被覆グラファイトシート５０の上下面を金属板１１で挟み込むことを行う。２枚の金属板１１で被覆グラファイトシート５０を挟んだ状態で、金属板１１の厚み部分を利用してねじ１０を金属板１１と被覆グラファイトシート５０に差し込んで固定する。なお、実施の形態１と同様に、予め貫通穴６に熱伝導接着剤２を充填し、熱伝導接着剤２と各層のグラファイトシートとの熱伝導は確保する。
次に、このようにして作製した熱接続構造体１０２を、熱伝導接着剤７を用いて排熱部８に接着固定する。
【００３６】
実施の形態３に係る熱接続構造体１０２によれば、熱伝導接着剤２のみでの固定と比較して積層した単層のグラファイトシートの強度信頼性が向上する。また、熱接続構造体１０２と排熱部８、熱接続構造体１０２と吸熱部９の固定強度の信頼性を向上させることができる。
【００３７】
図１１は、複数枚積層した被覆グラファイトシート５０の上下面を金属板１１で挟んだ熱接続構造体１０２の他の実施にあたる熱接続構造体１０３の構造を説明する図である。
図１１において、複数枚積層した被覆グラファイトシート５０の上下を金属板１１で挟み込んだ後、熱伝導接着剤７を用いて排熱部８に接着する。なお、実施の形態１と同様に、予め貫通穴６に熱伝導接着剤２を充填し、熱伝導接着剤２と各層のグラファイトシートとの熱伝導は確保する。この状態で、吸熱部８まで達する長さのねじ１０を用いて、複数枚積層した被覆グラファイトシート５０と、上下の金属板１１と、吸熱部８をねじ締結する。
【００３８】
本実施の形態によれば、熱伝導接着剤２のみでの固定と比較して積層した単層のグラファイトシートの強度信頼性が向上する。また、熱接続構造体１０２と排熱部８、熱接続構造体１０２と吸熱部９の固定強度の信頼性を向上させることができる。
また、貫通穴６に充填した熱伝導接着剤２と複数枚積層したグラファイトシート１により既に熱伝導経路が確保されているため、従来の課題で述べたような接触抵抗を低減させるための厳密なトルク管理は不要となる。また、簡易に、本実施の形態の熱接続構造体１０２と排熱部８や吸熱部９との固定の強度信頼性が向上する。
【００３９】
図１２は、実施の形態３に係る熱接続構造体１０３を、高低差のある排熱部８と吸熱部９に固定した状態を示した図である。排熱部８と吸熱部９の高低差に応じて、予め、各被覆グラファイトシート５０の長手方向の長さを変えた熱接続構造体１０３を作製しておくことで、熱輸送が可能となる。
本実施の形態に係る熱接続構造体１０３によれば、被覆グラファイトシート５０を複数積層し、被覆グラファイトシート５０間を両端の貫通穴に充填した熱伝導接着剤２で固定した構造であるので、従来のグラファイトシート１を積層した後に可とう性シートで被覆した場合と比較し、構造体として柔軟性を維持できる。例えば、吸熱部９と排熱部８の位置関係が熱応力により動いた場合であっても、各々の被覆グラファイトシート５０の形状が変形することにより熱接続構造体として柔軟性を維持できる。
また、被覆グラファイトシート５０を積層しているので、従来のグラファイトシート１を積層した後に可とう性シートで被覆した場合と比較しても、熱伝導率が低下することがない。
さらに、排熱部８と吸熱部９との固定をねじ締結としているので、排熱部８と吸熱部９の固定位置に段差がある場合であっても、固定の信頼性を向上させることができる。
【００４０】
図１３は、実施の形態３に係る熱接続構造体１０３を、高低差があり、かつ、固定面が９０°回転したねじれた位置関係にある排熱部８と吸熱部９に固定した状態を示した図である。
本実施の形態に係る熱接続構造体１０３によれば、被覆グラファイトシート５０を複数積層し、被覆グラファイトシート５０間を両端の貫通穴に充填した熱伝導接着剤２で固定した構造であるので、従来のグラファイトシート１を積層した後に可とう性シートで被覆した場合と比較し、構造体として柔軟性を維持できる。例えば、吸熱部９と排熱部８の位置関係が熱応力により動いた場合であっても、各々の被覆グラファイトシート５０の形状が変形することにより熱接続構造体として３次元的に柔軟性を維持できる。
また、被覆グラファイトシート５０を積層しているので、従来のグラファイトシート１を積層した後に可とう性シートで被覆した場合と比較しても、熱伝導率が低下することがない。
さらに、排熱部８と吸熱部９との固定をねじ締結としているので、排熱部８と吸熱部９の固定位置に段差があり、かつ、９０°回転している場合であっても、固定の信頼性を向上させることができる。
【符号の説明】
【００４１】
１  （単層の）グラファイトシート、２  熱伝導接着剤、３  吸排熱対象物（ワーク）、４  被覆材、６ａ、６ｂ  貫通穴、７  熱伝導接着剤、８  排熱部、９  吸熱部、１０  ねじ、１１  金属板、５０  被覆グラファイトシート、１００、１０１、１０２  熱接続構造体。
【図１】
0006497326.tif 000002
【図２】
0006497326.tif 000003
【図３】
0006497326.tif 000004
【図４】
0006497326.tif 000005
【図５】
0006497326.tif 000006
【図６】
0006497326.tif 000007
【図７】
0006497326.tif 000008
【図８】
0006497326.tif 000009
【図９】
0006497326.tif 000010
【図１０】
0006497326.tif 000011
【図１１】
0006497326.tif 000012
【図１２】
0006497326.tif 000013
【図１３】
0006497326.tif 000014